(57)【要約】【課題】  他の採血作業用装置を使用している採血作業者や患者との関係を考慮することなく、個々の採血作業者又は個々の患者に応じて、自由に採血作業板の高さを調整することができる採血作業用装置を提供すること。【解決手段】  本発明に係る採血作業用装置は、装置の一端から他端まで設置面に対して並行にのびるように配置され、採血管を収容したトレイを搬送するよう構成された搬送コンベアと、前記搬送コンベアを支持する基部と、前記搬送コンベアの上方に配置された採血作業板とを備え、前記採血作業板が、基部に対して採血作業板を上下方向に昇降可能とする昇降手段を備え、前記昇降手段により、採血作業板のみが上下方向に昇降するように構成したことを特徴とする。【選択図】    図１
2005065989.tif 000002
【特許請求の範囲】
【請求項１】
装置の一端から他端まで設置面に対して並行にのびるように配置され、採血管を収容したトレイを搬送するよう構成された搬送コンベアと、
前記搬送コンベアを支持する基部と、
前記搬送コンベアの上方に配置された採血作業板と
を備え、
前記採血作業板が、基部に対して採血作業板を上下方向に昇降可能とする昇降手段を備え、
前記昇降手段により、採血作業板のみが上下方向に昇降するように構成した
ことを特徴とする採血作業用装置。
【請求項２】
前記搬送コンベアが、採血作業用装置の一側辺に沿って配置され、
前記昇降手段が、採血作業用装置の前記搬送コンベアが設けられた側辺に対向する側辺側に配置されている
ことを特徴とする請求項１に記載の採血作業用装置。
【請求項３】
前記昇降手段が、二つの昇降装置から成り、
採血作業板における前記搬送コンベアの進行方向に直交する両側辺に、これら二つの昇降装置が各々配置されている
ことを特徴とする請求項２に記載の採血作業用装置。
【請求項４】
前記採血作業用装置が、採血後の空のトレイを回収するための回収コンベアを備え、
前記回収コンベアが、前記搬送コンベアと上下方向に重なり、かつ、採血作業用装置の一端から他端までのびるように配置されている
ことを特徴とする請求項１〜３の何れか一項に記載の採血作業用装置。
【発明の詳細な説明】
【技術分野】
【０００１】
本発明は、患者から血液を採血する時に用いられる採血用装置の改良に関する。
【背景技術】
【０００２】
真空採血管の普及に伴い採血管の種類は検査毎に細分化され、その結果、採血時に複数の採血管が用いられることが多くなっている。そして、採血後の採血管を自動分析機にセットするために各採血管に自動分析機で利用可能な識別ラベル（バーコードラベル等）を貼り付けることが必要となってきている。
出願人は、患者の検査に必要な採血管の選択、採血管へ貼り付けるべきラベルへの必要情報の記入又は印字、採血管へのラベルの貼付け、かつ、トレイへ患者一人分毎に採血管を入れる作業を全て自動化できる採血管自動準備システムを発明し、この準備システムは既に実用化されている。
そして、前記採血管自動準備システムで患者毎に準備された採血管入りのトレイやラックを、より効果的に利用するために、前記採血管入りのトレイやラックを、採血を行うための採血作業用装置に供給することができる搬送コンベアを備えた採血作業用装置が提案されており、出願人もこの種の採血作業用装置に係る発明を特許出願している（特許文献１参照）。
【０００３】
【特許文献１】特開２０００−１４６７７４号公報
【発明の開示】
【発明が解決しようとする課題】
【０００４】
上記した採血作業用装置は、採血作業板の下方に装置の一端から他端まで搬送コンベアがのびるように配置されたものである。
この構成により、複数台の採血作業用装置を並べて配置するだけで、隣接する採血作業用装置のコンベア同士が一直線上につながり一本の搬送ラインを構成することができるので、搬送ラインの上流端に採血管自動準備システムを配置すれば、採血管自動準備システムで患者毎に準備された採血管入りのトレイやラックを各採血作業用装置にコンベアで搬送することが可能になり採血作業がより効率化される。
発明者等は、上記した採血作業用装置を提案後も、さらに、採血作業についての研究を重ね、実際に採血を行う採血作業者や採血される患者は、その体型が個々に異なり、採血時に必ずしも自然な姿勢で採血が行われているとは限らないという問題を見出した。
具体的には、患者には、大人もいれば、子供もおり、また、若い人もいれば、老人もいる。このため、採血作業用装置の高さを大人の平均的な身長に合わせると、背の低い人や子供等は椅子に座った状態では採血作業用装置の採血作業板の高さに腕が届かない場合もある。逆に、採血作業用装置の高さを背の低い人や子供でも届く高さに合わせると、背の高い人は採血時に前かがみになる必要があり、体に力が入ったり、採血すべき腕の欠陥が圧迫されたりするので好ましくない。この問題を解決するために、採血作業台の高さをある程度高くしておき、患者毎に椅子の高さを調整することも考えられるが、座った状態で足が地面についていないと体が安定しないので、椅子による高さの調整は限界があり、好ましい解決方法とはいえない。
さらに、採血作業用装置全体の高さを個々に調整可能することも考えたが、前記したように、採血作業用装置は複数台並べた時に隣接する装置のコンベアと一直線上に連続しなければラックやトレイを搬送することができないので、採血作業用装置全体の高さを調整可能にすることもできない。
発明者は、上記した問題点について研究を重ね、本発明を発明するに至った。
本発明は、従来の問題点を全て解決し、他の採血作業用装置を使用している採血作業者や患者との関係を考慮することなく、個々の採血作業者又は個々の患者に応じて、自由に採血作業板の高さを調整することができる採血作業用装置を提供することを目的としている。
【課題を解決するための手段】
【０００５】
上記した目的を達成するために本発明に係る採血作業用装置は、装置の一端から他端まで設置面に対して並行にのびるように配置され、採血管を収容したトレイを搬送するよう構成された搬送コンベアと、前記搬送コンベアを支持する基部と、前記搬送コンベアの上方に配置された採血作業板とを備え、前記採血作業板が、基部に対して採血作業板を上下方向に昇降可能とする昇降手段を備え、前記昇降手段により、採血作業板のみが上下方向に昇降するように構成したことを特徴とする。
好ましくは、前記搬送コンベアは、採血作業用装置の一側辺に沿って配置され、同時に、前記昇降手段は、採血作業用装置の前記搬送コンベアが設けられた側辺に対向する側辺側に配置され得る。
また、前記昇降手段を二つの昇降装置で構成し、採血作業板における前記搬送コンベアの進行方向に直交する両側辺に前記二つの昇降装置を各々配置してもよい。
さらに、前記採血作業用装置には、さらに、採血後の空のトレイを回収するための回収コンベアを設けることができ、この場合、前記回収コンベアは、前記搬送コンベアと上下方向に重なり、かつ、採血作業用装置の一端から他端までのびるように配置され得る。
【発明の効果】
【０００６】
本発明に係る採血作業用装置は、搬送コンベアを装置の一端から他端まで設置面に対して並行にのびるように配置することにより、他の採血作業用装置と並べたり、採血管自動準備システムのトレイ排出装置と並べたりするだけで隣接する装置のコンベア同士が直線上に連続し、一つのトレイ供給ラインを構成することができるように構成すると共に、採血作業板のみを昇降手段で上下方向に昇降可能に構成しているので、複数台並べて使用する時に隣接する装置と共に構成しているトレイ供給ラインを崩すことなく採血作業用装置毎に採血作業者や患者の体型に合わせて採血作業板の高さを調節することが可能になる。
このように、個々の採血作業装置において採血作業板の高さを患者又は採血作業者の体型に合わせて調整可能にすることで、他の採血作業用装置を使用している採血作業者や患者との関係を考慮することなく、個々の採血作業者又は個々の患者に応じて、自由に採血作業板の高さを調整することが可能になる。その結果、採血作業者の体型に合わせた場合には、採血作業者が自然な姿勢で採血作業ができるようになるので、採血作業時の体の負担を軽くすることができ、また、患者の体型に合わせた場合には、患者が採血時に自然な姿勢で採血をすることができるので、体に力が入らずに、採血をスムーズに行えるという効果を奏する。
また、前記搬送コンベアを採血作業用装置の一側辺に沿って配置し、前記昇降手段を採血作業用装置の前記搬送コンベアが設けられた側辺に対向する側辺側に配置することにより、搬送コンベアの構造に影響を及ぼすことなく、昇降手段を配置することが可能になる。このため、昇降手段を設けることにより搬送コンベアの構造が複雑化することがなくなり、また、既存の採血作業用装置に容易に適用することが可能になるという効果を奏する。
さらに、前記昇降手段を二つの昇降装置で構成し、採血作業板における前記搬送コンベアの進行方向に直交する両側辺に二つの昇降装置を各々配置することにより、採血作業板の下方における二つの昇降装置間に空間ができるので、採血時に、昇降手段側に座った者（採血作業者又は患者）が、前記空間に足を入れることができるようになる。採血作業板の下方に、このような足入れ空間ができることにより、採血作業者の場合には、より自然な姿勢で採血作業ができるようになるので採血作業時の体の負担がより軽くなり、また、患者の場合には、採血時により自然な姿勢で採血をすることができるようになる。
さらにまた、回収コンベアを、搬送コンベアと上下方向に重なるように配置することにより、採血作業装置の奥行き（患者と採血作業者との間の距離）を広げることなく回収コンベアを設けることが可能になる。採血作業は、患者と採血作業者との距離が適当な距離に保たれていなければ、患者の体にも採血作業者の体にも負担がかかるため好ましくない。従って、昇降手段と搬送コンベアとが並ぶように配置されている構造を備えていることを考慮すると、回収コンベアを搬送コンベアと並べて配置することにより採血作業用装置の奥行きが好ましくない幅まで広がる可能性が高いため、回収コンベアを搬送コンベアを上下方向に重なるように配置することによる効果は極めて高い。
【発明を実施するための最良の形態】
【０００７】
以下、添付図面に示した一実施例を参照して本発明に係る採血作業用装置の実施の形態について説明していく。
【０００８】
図１は、本発明に係る採血作業用装置の一実施例の概略側面図、図２は図１に示した採血作業用装置を図１における左側から見た正面図、図３は図１に示した採血作業用装置を図１における右側から見た背面図、図４は図１に示した採血作業用装置を図１における上方から見た平面図を各々示している。
図面に示すように、この採血作業用装置は、
装置の一端から他端までのびるように上下二段に配置された搬送コンベア２及び回収コンベア３を備えた基部１と、
前記搬送コンベア２のさらに上方に配置された採血作業板４とを有する。
【０００９】
前記採血作業板４は、その両側に左右一対の昇降装置５，５を備えている。各昇降装置５は、本体５ａに外殻５ｂを入れ子式に嵌め込んで構成されており、内部に駆動機構を備え、採血作業台に設けられた上昇スイッチ６及び下降スイッチ７の操作に応じて、コントローラ５ｃを介して外殻５ｂが本体５ａに対して伸縮するように構成されている。前記採血作業板４は、この昇降装置５の外殻５ｂに固定されている。また、昇降装置５の本体５ａは、基部１に固定されている。従って、採血作業者が上昇スイッチ６を押している間は、採血作業板４のみが外殻５ｂと共に上方に上昇し、下降スイッチ７を押している間は、採血作業板４のみが外殻５ｂと共に下降する（図１及び図５参照）。
【００１０】
上記したように構成されたコンベア２，３及び昇降装置５，５のレイアウトについて説明する。
図２及び図４から明らかなように、コンベア２及び３は、採血作業用装置の基部１の長手方向一側辺１ａに沿って上下に重ねて配置され、昇降装置５，５は、採血作業用装置の前記コンベア２，３が配置された側辺１ａに対向する側辺１ｂに沿って、かつ、採血作業板４における前記コンベア２，３の進行方向に直交する両側辺４ａ，４ｂに、採血作業板４を片持ち支持するように配置されている。
【００１１】
また、図２〜４に示すように採血作業用装置の短手方向一側部には、採血作業台とは別体の固定されたテーブル８が設けられており、このテーブル８上には、供給されてきたトレイに入れられた採血指示書や採血管のバーコードを読み取るためのバーコードリーダー１０と、このバーコードリーダー１０で読み取った患者の整理番号を表示する表示体１１とが設けられている。
また、テーブル８の下方には、搬送コンベア２で搬送されてきたトレイを受け取るためのトレイ受取台１２が設けられており、搬送コンベア上のトレイは必要に応じて、不図示の押出機構により搬送コンベアから、このトレイ受取台１２に押出される。
また、図２中、符号１３は、基部１におけるコンベア２，３側が配置された側面に設けられた前面パネルを示しており、この前面パネル１３には、採血作業者が使用済みのトレイを回収コンベア３の上に載せるための開口１３ａが形成されている。
前面パネル１３には、この他に、搬送コンベア２と回収コンベア３とに各々沿った開口１３ｂ，１３ｃも形成されている。これらの開口はコンベア２，３上を流れるトレイの状態を採血作業者が目視確認できるように設けられた開口である。
【００１２】
上記したように構成された採血作業用装置Ａは、図６に示すように、複数台並べて配置され、さらに、上流端に配置された採血作業用装置Ａの横には、採血管自動準備システムＢが配置される。
【００１３】
上記した実施例における採血作業用装置は、コンベア側に採血作業者が座り、昇降装置側に患者が座るように構成されている。
図６に示すように、採血作業者は、採血すべき患者の体型に合わせて、患者毎に採血作業板の高さを自由に調整することができるため、患者は自然な姿勢で採血を受けることができる。
また、患者は、採血時に、採血作業用装置における一対の昇降手段５，５の間に形成された足入れ空間１４に脚を入れて椅子に座ることができるため、採血作業板に近づいて座ることができ、その結果、より自然な姿勢で採血を受けることができる。
【００１４】
上記した実施例では、患者側に昇降装置が配置されるように採血作業用装置を構成しているが、この構成は本実施例に限定されることなく、採血作業者側に昇降装置を配置し、患者側にコンベアを配置するように構成してもよい。この場合には、患者側に配置されたコンベアと採血作業者側に位置するトレイ受取台との間にトレイを送り出すための台が設けられ得る。
また、上記した実施例では、採血作業用装置の一側辺にコンベアを配置し、この側辺に対向する側辺に昇降装置を配置して、採血作業板が昇降装置で片持ち支持されるように構成しているが、この構成は本実施例に限定されることなく、例えば、図７（ａ）に示すように、コンベアを採血作業板の中央に対応する位置に配置し、採血作業板の前記コンベアを挟んだ両側辺側に、各々一対の昇降装置を設けてもよい。このように構成することで、採血作業板は両持ちで昇降装置に支持されることになるので、強度が高くなる。また、両側辺に、左右一対の昇降装置を設けることにより、採血作業用装置の両側辺に足入れ空間が形成されることになるので、採血作業者と患者の両方が足を入れて椅子に座ることができるようになる。
さらに、本実施例では、断面長方形の細長い昇降装置を採血作業板の側辺に沿って設けているが、この昇降装置は本実施例に限定されることなく、例えば、図７（ｂ）に示すように、断面矩形の昇降装置でもよく、また、断面円形の昇降装置でもよい。
さらにまた、本実施例では、昇降装置を採血作業板の二つの側辺に沿って二つ設けているが、これは本実施例に限定されることなく、強度を保つように設計してあれば、例えば、図７（ｃ）に示すように片側だけに設けてもよい。
さらにまた、上記した実施例では、昇降装置５の本体５ａを基部１に固定しているが、この構成は本実施例に限定されることなく、昇降装置５を基部１に固定しなくてもよい。
さらに、上記した実施例では、採血作業用装置が、搬送コンベアと回収コンベアの両方を備えているが、採血作業用装置は少なくとも搬送コンベアを備えているだけでよく、回収コンベアは必須の構成ではない。例えば、回収コンベアを設けない場合には、前面パネルの下部を加工することにより搬送コンベアの下方に足入れ空間を形成することも可能になる。
また、この採血作業用装置は、必要に応じて、採血後の採血管をラック等にいれて分析装置まで移送するための移送コンベアを備えることができ、また、さらに、分析装置から使用済みのラックを回収するためのラック回収コンベアを設けることもできる。
【図面の簡単な説明】
【００１５】
【図１】本発明に係る採血作業用装置の一実施例の概略側面図である。
【図２】図１に示した採血作業用装置を図１における左側から見た正面図である。
【図３】図１に示した採血作業用装置を図１における右側から見た背面図である。
【図４】図１に示した採血作業用装置を図１における上方から見た平面図である。
【図５】採血作業板を上昇させた状態を示す図１に対応する概略側面図である。
【図６】本発明に係る採血作業用装置の使用状態を示す概略図である。
【図７】別の実施例の構成を説明するための概略図である。
【符号の説明】
【００１６】
１  基部
１ａ  長手方向一側辺
１ｂ  長手方向他側辺
２  搬送コンベア
３  回収コンベア
４  採血作業板
４ａ  側辺
４ｂ  側辺
５  昇降装置
５ａ  本体
５ｂ  外殻
５ｃ  コントローラ
６  上昇スイッチ
７  下降スイッチ
８  テーブル
１０  バーコードリーダ
１１  表示体
１２  トレイ受取台
１３  前面パネル
１３ａ  開口
１３ｂ  開口
１３ｃ  開口
１４  足入れ空間
【図１】
2005065989.tif 000003
【図２】
2005065989.tif 000004
【図３】
2005065989.tif 000005
【図４】
2005065989.tif 000006
【図５】
2005065989.tif 000007
【図６】
2005065989.tif 000008
【図７】
2005065989.tif 000009